(57)【要約】【課題】紫外線の漏洩を防止した紫外線光源付き設備を提供する。【解決手段】便蓋６の下面側に、便鉢２内に紫外線を照射するためのＬＥＤ等の紫外線光源７が設けられている。便座５及び便蓋６には、その前部及び左右両側部の全体にわたって外周縁から垂下する垂下壁部５ａ，６ａが設けられている。便座５とリム２ａとの隙間及び便座５と便蓋６との隙間が便座の前部から両側部にわたってすべて連続して垂下壁部５ａ，６ａによって隠蔽されているため、紫外線が便鉢２外へ漏洩しない。【選択図】図１
2006271516.tif 000002
【特許請求の範囲】
【請求項１】
紫外線光源と、該紫外線光源から紫外線が照射される紫外線照射対象領域とを有する紫外線光源付き設備において、
紫外線が該照射対象領域外へ漏洩することを防止するための紫外線漏洩防止部を設けたことを特徴とする紫外線光源付き設備。
【請求項２】
請求項１において、前記紫外線光源付き設備は、開閉部を備え、該開閉部が閉とされたときに照射対象領域が外部から隔てられた閉所となる紫外線光源付き設備であって、
前記紫外線漏洩防止部は、該開閉部とその周囲との隙間からの紫外線の漏洩を防止するものであることを特徴とする紫外線光源付き設備。
【請求項３】
請求項２において、該開閉部は便蓋又は便座であり、該紫外線漏洩防止部は、便蓋又は便座の外周縁から垂設された垂下壁部であることを特徴とする紫外線光源付き設備。
【発明の詳細な説明】
【技術分野】
【０００１】
本発明は、殺菌あるいは有機物分解するための紫外線光源を備えた紫外線光源付き設備に係り、例えば洋風便器の便鉢に紫外線を照射する場合などに適用される紫外線光源付き設備に関する。
【背景技術】
【０００２】
洋風便器の便鉢内に紫外線を照射して殺菌あるいは有機物の付着防止を行うことが実開平５−１６８８１号、特開２００１−６５０３５号（図５）に記載されている。また、特開２００１−９５６９９号の図７には、洗面化粧台の扉付き小物収納部の内部に紫外線を照射するように紫外線ＬＥＤを該小物収納部内の天井部分に設けることが開示されている。
【特許文献１】実開平５−１６８８１号
【特許文献２】特開２００１−６５０３５号
【特許文献３】特開２００１−９５６９９号
【発明の開示】
【発明が解決しようとする課題】
【０００３】
上記のように紫外線光源を設けた便器や洗面化粧台においては、便蓋や扉を閉めても、便蓋と便座との間、便座と便器上面との間あるいは扉とその周囲との間から紫外線が外部に漏洩するおそれがある。
【０００４】
本発明は、かかる紫外線の漏洩を防止した紫外線光源付き設備を提供することを目的とする。
【課題を解決するための手段】
【０００５】
請求項１の紫外線光源付き設備は、紫外線光源と、該紫外線光源から紫外線が照射される紫外線照射対象領域とを有する紫外線光源付き設備において、紫外線が該照射対象領域外へ漏洩することを防止するための紫外線漏洩防止部を設けたことを特徴とするものである。
【０００６】
請求項２の紫外線光源付き設備は、請求項１において、前記紫外線光源付き設備は、開閉部を備え、該開閉部が閉とされたときに照射対象領域が外部から隔てられた閉所となる紫外線光源付き設備であって、前記紫外線漏洩防止部は、該開閉部とその周囲との隙間からの紫外線の漏洩を防止するものであることを特徴とするものである。
【０００７】
請求項３の紫外線光源付き設備は、請求項２において、該開閉部は便蓋又は便座であり、該紫外線漏洩防止部は、便蓋又は便座の外周縁から垂設された垂下壁部であることを特徴とするものである。
【発明の効果】
【０００８】
請求項１の紫外線光源付き設備は、紫外線漏洩防止部を有するので、照射対象領域外への紫外線の漏洩が防止される。
【０００９】
請求項２のように構成すると、開閉部を閉めて照射対象領域を閉所とし、この閉所から紫外線が漏洩しないようにして該照射対象領域に紫外線を照射することができる。
【００１０】
請求項３によると、便鉢内からの紫外線の漏洩を確実に防止することができる。
【発明を実施するための最良の形態】
【００１１】
以下、図面を参照して実施の形態について説明する。図１は実施の形態に係る紫外線光源付き設備としての洋風便器設備の斜視図、図２は便蓋を閉めた状態における図１のII−II線断面図である。
【００１２】
陶器製の洋風便器１は、その前部に便鉢２を有し、後部上面にロータンク３が設置されている。このロータンク３の前側に便座ボックス４が設置され、この便座ボックス４に便座５と便蓋６とが上下方向回動自在に取り付けられている。この便蓋６の下面側には、便鉢２内に紫外線を照射するためのＬＥＤ等の紫外線光源７が設けられている。便座５の下面には、便鉢２のリム２ａの上面に重なるゴム脚５ｂが設けられている。
【００１３】
この便座５及び便蓋６には、その前部及び左右両側部の全体にわたって外周縁から垂下する垂下壁部５ａ，６ａが設けられている。
【００１４】
図２の通り、便座５が倒伏した状態にあっては、リム２ａの上面と便座５の下面との間の隙間を全周にわたって該垂下壁部５ａが外方から隠蔽している。垂下壁部５ａの下端はリム２ａの上面よりも下方に位置している。
【００１５】
便蓋６が倒伏した状態にあっては、便座５の上面と便蓋６の下面との間の隙間を全周にわたって垂下壁部６ａが外方から隠蔽している。垂下壁部６ａの下端は、便座５の上面よりも下位に位置している。
【００１６】
この便鉢２の内面やリム２ａの上面に酸化チタン等の光触媒層が設けられてもよい。
【００１７】
便座ボックス４内には、前記紫外線光源７とリード線（図示略）を介して接続された電源回路（図示略）が設けられている。この電源回路は、便蓋６の起立検知センサ（図示略）と連動しており、便蓋６が起立すると紫外線光源７を消灯させ、便蓋６が倒伏すると紫外線光源７を点灯させるよう構成されている。
【００１８】
このように構成された洋風便器にあっては、便蓋６を閉めると、紫外線光源７が点灯し、便鉢２内に紫外線が照射され、紫外線殺菌が行われる。便鉢２の内面に光触媒層が設けられているときには、光触媒層への紫外線照射により光触媒層が励起し、活性酸素が発生し、便鉢内面に付着した有機物が分解される。
【００１９】
この実施の形態では、便座５とリム２ａとの隙間及び便座５と便蓋６との隙間が便座の前部から両側部にわたってすべて連続して垂下壁部５ａ，６ａによって隠蔽されているため、紫外線が便鉢２外へ漏洩しない。
【００２０】
なお、この実施の形態では便座ボックス４を用いているが、代わりにロータンクカバーが設けられてもよい。また、ロータンク３が省略されてもよい。
【００２１】
本発明は、洗面化粧台の扉付き小物入れ等にも適用可能である。この場合、この扉の外周縁に紫外線漏洩防止部としてパッキンを設けたり、扉の外周縁にフランジ状に張り出す張出部を設け、扉を閉めたときにこの張出部が扉の周囲の収納部前縁に重なるようにして紫外線の漏洩を防止する。
【００２２】
本発明は、流し台の水栓の下部に紫外線光源を下向きに設けた場合にも適用可能である。この場合には、紫外線光源の周囲にフードを設け、紫外線を鉢内面のみに向って照射するように構成するのが好ましい。このフードを進退可能とし、紫外線光源が点灯するときに前進して照射領域を鉢内に限るよう構成してもよい。
【００２３】
本発明では、紫外線漏洩防止部は紫外線のみをカットし、可視光は透過させる材料で構成されてもよい。
【図面の簡単な説明】
【００２４】
【図１】実施の形態に係る紫外線光源付き設備としての洋風便器設備の斜視図である。
【図２】便蓋を閉めた状態における図１のII−II線断面図である。
【符号の説明】
【００２５】
１  洋風便器
２  便鉢
３  ロータンク
４  便座ボックス
５  便座
５ａ，６ａ  垂下壁部
６  便蓋
７  紫外線光源
【図１】
2006271516.tif 000003
【図２】
2006271516.tif 000004